(57)【要約】【課題】構造が簡単で、しかも安価な運動補助具を提供すること。【解決手段】基部１と、軸方向に伸縮可能で、かつ所定の長さに固定可能な棒体２と、棒体２の一端を基部１に回動可能で、かつ基台に対して垂直な方向に付勢する結合部材３とから構成されている。【選択図】  図１
2007195947.tif 000002
【特許請求の範囲】
【請求項１】
基部と、軸方向に伸縮可能で、かつ所定の長さに固定可能な棒体と、前記棒体の一端を前記基部に回動可能で、かつ前記基台に対して垂直な方向に付勢する結合部材とからなる運動補助具。
【請求項２】
前記棒体を前記基部に略垂直な状態に固定し、解除できる手段を有する請求項１に記載の運動補助具。
【請求項３】
前記結合部材が、弾性部材と、前記弾性部材の変形を可能ならしめ、かつ抵抗力を発現する部材との組み合わせにより構成されている請求項１に記載の運動補助具。
【請求項４】
前記結合部材が、弾性材料と粘性材料とを混練した材料により構成されている請求項１に記載の運動補助具。
【発明の詳細な説明】
【技術分野】
【０００１】
本発明は、身体の伸縮、ねじりなどの運動を容易に行うことを補助する器具に関する。
【背景技術】
【０００２】
身体の伸縮やねじり等を伴う運動や体操は、とかく自己流に陥り勝ちとなりやすく、また身体の安定を欠いて転倒などの事故を招くという問題がある。
このため、いろいろな運動補助具が考案され、また市販されているが、構造が複雑であったり、大型で高価であるなどの問題がある。
【発明の開示】
【発明が解決しようとする課題】
【０００３】
本発明はこのような問題に鑑みてなされたものであって、構造が簡単で、しかも安価な運動補助具を提供することである。
【課題を解決するための手段】
【０００４】
このような課題を達成するために請求項１の発明は、基部と、伸縮可能な棒体と、前記棒体の一端を前記基部に回動可能で、かつ前記基台に対して垂直な方向に付勢する結合部材とから構成されている。
【０００５】
また、請求項２の発明は、前記棒体を前記基部に略垂直な状態に固定し、解除できる手段を有する。
【０００６】
請求項３の発明は、前記結合部材が、弾性部材と、前記弾性部材の変形を可能ならしめ、かつ抵抗力を発現する部材との組み合わせにより構成されている。
【０００７】
請求項４の発明は、前記結合部材が、弾性材料と粘性材料とを混練した材料により構成されている。
【発明の効果】
【０００８】
請求項１の発明によれば、基部を床に置くと、棒体が自動的に垂直状態となるので、棒体の適当な箇所を持って身体を支えることができ、バランスを保ちながら身体の伸縮、ねじりなどの運動を容易に、かつ安定な状態で行うことができる。
【０００９】
請求項２の発明によれば、棒体を垂直に固定できるため、垂直な棒体を利用した運動をより安定に行うことが可能であるとともに、収納時もしくは不使用時にも棒体が邪魔になることが少なくなる。
【００１０】
請求項３、４の発明によれば、機構的な可動部をなくして構造の簡素化と、故障の軽減を図ることができる。
【発明を実施するための最良の形態】
【００１１】
図１は、本発明の運動補助具の一実施例を示すものであって、底面１ａが床に密着、または強い摩擦力で接する基部１の上面には伸縮可能で、任意の長さに固定できる棒体２の一端が結合部材３を介して取り付けられ、結合部材３を中心に揺動するように構成されている。
結合部材３は、この実施例では基部１に形成された球状の凹部１ｂに、棒体の下端に形成した球部２ａを嵌合させたユニバーサルジョイント機構として構成されている。
【００１２】
また球部２ａの中心には基部１に垂設された弾性材からなる突起４を係合させて、棒体２が基部１に対して垂直となるように常時付勢されている。なお、この実施例では突起４は、基部１と一体に構成されているが、コイルバネなどの弾性材を基部１に固定しても同様の作用を奏する。
【００１３】
一方、棒体２は、２本のパイプ２ｂ、２ｃに分割され一方の上端に他方の下端を挿通して伸縮可能ととするとともに、閉め具５などにより所定の長さに固定できるように構成され、上端には握り部６が設けられている。
【００１４】
なお、上述の実施例においては基台１に弾性変形可能な突部４を設けて棒体２を自立させるようにしているが、図２に示したようにゴムなどの弾性材料により構成されたラッパ状のカバー２０により棒体２の下部と基部１とを接続すると、カバー２０の弾性により棒体２が揺動可能であるとともに、カバー２０の復元力により垂直状態に復帰させることができる。
【００１５】
さらには、一端が球部２ａの下部に、他端が踏みつけ可能な領域に位置するレバー２２を設け、踏み込むたびにロック、フリーの状態を繰り返す機構、たとえばラッチ機構２３を組み込むことにより、棒体２をより確実に垂直状態に保持することが可能となる。
【００１６】
この実施例において、止め具５を緩めてパイプ２ｃを伸縮させて握り部６がユーザにとって使いやすい位置となるように調整して閉め具５により長さを固定する。
【００１７】
この状態で図３に示したように棒体２の上端に形成された握り部６を手に持ち、棒体２の下端を中心とするように身体を屈伸させたり捻ると、棒体２の下部の結合部３を構成する球部２ａが突部４の弾性に抗して凹部１ｂ内で回動し、握り部６が円運動する。これによりユーザは、バランスを崩すことなくねじり運動を安全に行うことができる。
【００１８】
運動が終了して握り部６から手を離すと、突部４が自身の弾性で垂直方向に復元するから球部２ａも元の位置に戻り棒体２が鉛直状態となる。
【００１９】
なお、図２の実施例においてはユニバーサルジョイント機構を構成する球部を押圧することによりその回動を規制し、もって棒体２を垂直状態に保持するようにしているが、図４(イ)に示したようにカバー２０の外周を覆い、かつ上下方向に移動可能な、剛性の高い材料、例えば硬質高分子や金属からなる外筒３０を、棒体２に挿通したコイルバネ３１で下部がカバー２０から浮いた状態となるように装填しても棒体２を垂直状態に固定することができる。
【００２０】
この実施例によれば、外筒３０が基部１からバネ３１により浮かされた状態（図４(イ)に示す状態）では、カバー２０が弾性変形できるため、棒体２は回動が可能となる。
一方、外筒３０をコイルバネ３１に抗して基部１に押し付けた状態に固定すると、外筒３０によりカバー２０の弾性変形が制限されるため、棒体２が垂直な状態に維持される。
【００２１】
なお、外筒３０を基部１に押し付けた状態に固定する手段としては、図４(ロ)に示したようにレバー３２により操作される偏心カム３３を外筒３０の上端に設けること等により構成できる。すなわち、図４(ハ)に示したようにレバー３２を踏み込むことにより偏心カム３３が棒体２に押し付けられ、外筒３０が所定の位置に固定される。
【００２２】
また、上述の実施例ではユニバーサルジョイント機構を球部と半球状凹部とにより構成しているが、図５に示したように基台１に水平に十字に交差し、かつ上下に位置するように回動軸４０、４１を配置した構成を採用しても棒体２を基台１に対して回動自在に取り付けることができる。
【００２３】
なお、上述の実施例においては棒体を回動可能に支持する手段としてユニバーサルジョイント機構を使用しているが、図６に示したように基部１をゴムなどの弾性材料で構成するととともに、棒体２を取り付ける位置に蛇腹状の突起体４２を形成し、これに棒体２の下端を固定しても、突起体４２の弾性変形を利用して棒体２を回動可能に基台１に取り付けることができる。
好ましくは、突起体４２を、粘弾性材料、例えばゴムに鉛粒子を混合したものなどにより構成すると、粘弾性材料の弾性により回動を可能としつつ、粘性により急激な反発力を抑えることができる。
【００２４】
さらには、図７に示したように突起体４２を弾性材料により構成するとともに、突起体４２の内部に鉛粒子４３、もしくは鉛棒を封入したり、また図８に示したようにコイルバネ４４の下端を基台１に固定するとともに、他端に棒体２を固定し、コイルバネ４４の内部側に鉛粒子４３や鉛棒を収容しても同様の作用を奏する。
これらの実施例によれば、図１、２、４、及び図５に示した実施例のよな機構的な可動部が存在しないため、磨耗などによる故障を軽減することが可能となる。
【００２５】
なお、これらの実施例においても、棒体２を基台に対して垂直な状態に固定する機能を持たせるには、突起体４２やコイルバネ４４の外周に図４に示した実施例と同様の上下方向に移動可能にカバー２０を設けることにより達成できることは明らかである。
【図面の簡単な説明】
【００２６】
【図１】本発明の運動補助具の一実施例を示す図である。
【図２】本発明の運動補助具の他の実施例示す図である。
【図３】本発明の運動補助具の使用法の一例を示す図である。
【図４】図(イ)乃至(ハ)は、それぞれ本発明の運動補助具の一実施例を、結合部材の構造、及び固定手段で示す図である。
【図５】図（イ）、（ロ）はそれぞれ本発明の運動補助具の一実施例の他の実施例を示す正面図と側面図である。
【図６】本発明の運動補助具の他の実施例を、基部と棒体との結合部材の構造と示す図である。
【図７】本発明の運動補助具の他の実施例を、基部と棒体との結合部材の構造と示す図である。
【図８】本発明の運動補助具の他の実施例を、基部と棒体との結合部材の構造と示す図である。
【符号の説明】
【００２７】
１  基部    ２  棒体    ３  結合部材    ４  突起    １ｂ、２ａ  ユニバーサルジョイント機構を構成する球状の凹部及び球部
【図１】
2007195947.tif 000003
【図２】
2007195947.tif 000004
【図３】
2007195947.tif 000005
【図４】
2007195947.tif 000006
【図５】
2007195947.tif 000007
【図６】
2007195947.tif 000008
【図７】
2007195947.tif 000009
【図８】
2007195947.tif 000010